(57)【要約】【課題】冗長化の管理が可能な加入者宅側光回線終端装置、該加入者宅側光回線終端装置を接続する光伝送システム、加入者宅側光回線終端装置を２以上接続して冗長化可能なスイッチ、及びそれぞれの通信制御方法を提供する。【解決手段】ＯＬＴ１１０とＯＮＵ１０５との間の通信がＰＯＮ識別子で管理され、ＯＮＵ１０５とスイッチ１０との間がタグで管理されることから、スイッチ１０に２つのＯＮＵ１０５−１、２が接続されてしまうと、ＯＬＴ１１０とスイッチ１０との間で、通信ラインの選択を適切に行うことができなくなる。そこで、ＰＯＮ識別子とタグとを相互に関連付ける変換テーブルを事前に作成し、これをＯＮＵ１０５とスイッチ１０に持たせるようにしている。【選択図】図２
2011129970.tif 000002
【特許請求の範囲】
【請求項１】
センタ側に接続される光伝送路が受動型光カプラで複数の光伝送路に分岐されて加入者宅側に接続されるＰＯＮ(Passive Optical Network)型の光伝送システムに用いられる加入者宅側光回線終端装置であって、
センタ側光回線終端装置間と伝送されるデータ信号を終端処理する第１ＭＡＣ部と、
加入者宅側のスイッチ間と伝送されるデータ信号を終端処理する第２ＭＡＣ部と、
前記スイッチに具備されたＭＳＡ（Multi-Source Agreement）インタフェーススロットに接続されるＭＳＡインタフェースモジュールと、
前記センタ側光回線終端装置との通信用に設定されたＰＯＮ識別子と、前記スイッチで前記ＭＳＡインタフェーススロットの識別用に設定されたスイッチ用識別子とを、事前に作成された変換テーブルを用いて相互に変換する通信制御部と、を備え、
前記第１ＭＡＣ部に下りデータ信号が入力されると、前記通信制御部が前記第１ＭＡＣ部から前記下りデータ信号に書き込まれた前記ＰＯＮ識別子を入力し、前記変換テーブルを用いて前記ＰＯＮ識別子を前記スイッチ用識別子に変換して前記第２ＭＡＣ部に出力し、前記第２ＭＡＣ部が前記下りデータ信号に前記スイッチ用識別子を書き込んで前記スイッチに出力する一方、
前記第２ＭＡＣ部に上りデータ信号が入力されると、前記通信制御部が前記第２ＭＡＣ部から前記上りデータ信号に書き込まれた前記スイッチ用識別子を入力し、前記変換テーブルを用いて該スイッチ用識別子を前記ＰＯＮ識別子に変換して前記第１ＭＡＣ部に出力し、前記第１ＭＡＣ部が前記上りデータ信号に前記ＰＯＮ識別子を書き込んで前記センタ側光回線終端装置に出力する
ことを特徴とする加入者宅側光回線終端装置。
【請求項２】
前記変換テーブルは、前記センタ側光回線終端装置で作成され、前記下りデータ信号のＯＡＭ（Operation，Administration，and Maintenance）レイヤまたは拡張ＯＡＭレイヤに書き込まれ、前記通信制御部に伝送されて保存される
ことを特徴とする請求項１に記載の加入者宅側光回線終端装置。
【請求項３】
前記変換テーブルは、前記拡張ＯＡＭレイヤに書き込まれてさらに前記スイッチに出力される
ことを特徴とする請求項２に記載の加入者宅側光回線終端装置。
【請求項４】
前記変換テーブルは、前記通信制御部から前記ＭＳＡインタフェースモジュールに設けられたＩ２Ｃ（Ｉｎｔｅｒ  Ｉｎｔｅｇｒａｔｅｄ  Ｃｉｒｃｕｉｔ）信号線を介して前記スイッチに出力される
ことを特徴とする請求項２または３に記載の加入者宅側光回線終端装置。
【請求項５】
前記スイッチ用識別子が前記ＭＳＡインタフェーススロットとあらかじめ対応付けされており、
前記ＭＳＡインタフェーススロットに接続されたときに、所定のシリアルインタフェースを用いて前記スイッチから前記スイッチ用識別子を読み出し、前記スイッチ用識別子と前記ＰＯＮ識別子とを対応付けして前記変換テーブルを作成する
ことを特徴とする請求項１乃至４のいずれか１項に記載の加入者宅側光回線終端装置。
【請求項６】
前記所定のシリアルインタフェースは、前記Ｉ２Ｃ信号線を介するインタフェースである
ことを特徴とする請求項５に記載の加入者宅側光回線終端装置。
【請求項７】
前記スイッチ用識別子が前記ＭＳＡインタフェーススロットとあらかじめ対応付けされており、
前記ＭＳＡインタフェーススロットに接続されたときに、専用ＯＡＭインタフェースを用いて前記スイッチから前記スイッチ用識別子を読み出し、前記スイッチ用識別子と前記ＰＯＮ識別子とを対応付けして前記変換テーブルを作成する
ことを特徴とする請求項１乃至４のいずれか１項に記載の加入者宅側光回線終端装置。
【請求項８】
前記スイッチ用識別子の設定順序があらかじめ決められており、前記ＭＳＡインタフェーススロットに接続された順序で、所定のシリアルインタフェースを用いて前記スイッチから前記スイッチ用識別子を読み出し、前記スイッチ用識別子と前記ＰＯＮ識別子とを対応付けして前記変換テーブルを作成する
ことを特徴とする請求項１乃至４のいずれか１項に記載の加入者宅側光回線終端装置。
【請求項９】
前記所定のシリアルインタフェースは、前記Ｉ２Ｃ信号線を介するインタフェースである
ことを特徴とする請求項８に記載の加入者宅側光回線終端装置。
【請求項１０】
前記スイッチ用識別子の設定順序があらかじめ決められており、
前記ＭＳＡインタフェーススロットに接続された順序で、専用ＯＡＭインタフェースを用いて前記スイッチから前記スイッチ用識別子を読み出し、前記スイッチ用識別子と前記ＰＯＮ識別子とを対応付けして前記変換テーブルを作成する
ことを特徴とする請求項１乃至４のいずれか１項に記載の加入者宅側光回線終端装置。
【請求項１１】
請求項１乃至１０のいずれか１項に記載の加入者宅側光回線終端装置を備える
ことを特徴とする光伝送システム。
【請求項１２】
前記加入者宅側光回線終端装置が、同一のスイッチに２以上接続されている
ことを特徴とする請求項１１に記載の光伝送システム。
【請求項１３】
前記２以上の加入者宅側光回線終端装置のそれぞれの前記ＰＯＮ識別子と前記スイッチ用識別子とを対応付けした前記変換テーブルを前記センタ側光回線終端装置で作成し、前記変換テーブルを前記下りデータ信号のＯＡＭレイヤまたは拡張ＯＡＭレイヤに書き込んで前記２以上の加入者宅側光回線終端装置のそれぞれに伝送する
ことを特徴とする請求項１１または１２に記載の光伝送システム。
【請求項１４】
請求項１乃至１０のいずれか１項に記載の加入者宅側光回線終端装置に接続されるスイッチであって、
２以上の前記ＭＳＡインタフェーススロットと、
前記ＭＳＡインタフェーススロットに接続されて前記加入者宅側光回線終端装置との通信を制御するスイッチコア部と、を備え、
前記スイッチコア部は、前記変換テーブルを用いて前記上りデータ信号を出力する前記ＭＳＡインタフェーススロットを判定する
ことを特徴とするスイッチ。
【請求項１５】
前記スイッチコア部は、前記変換テーブルを作成して前記Ｉ２Ｃ信号線を介して前記通信制御部に伝送する
ことを特徴とする請求項１４に記載のスイッチ。
【請求項１６】
前記スイッチ用識別子が前記ＭＳＡインタフェーススロットとあらかじめ対応付けされており、
前記ＭＳＡインタフェーススロットに前記加入者宅側光回線終端装置が接続されると、所定のシリアルインタフェースを用いて前記加入者宅側光回線終端装置から前記ＰＯＮ識別子を読み出し、前記スイッチ用識別子と前記ＰＯＮ識別子とを対応付けして前記変換テーブルを作成する
ことを特徴とする請求項１４または１５に記載のスイッチ。
【請求項１７】
前記所定のシリアルインタフェースは、前記Ｉ２Ｃ信号線を介するインタフェースである
ことを特徴とする請求項１６に記載の加入者宅側光回線終端装置。
【請求項１８】
前記スイッチ用識別子が前記ＭＳＡインタフェーススロットとあらかじめ対応付けされており、
前記ＭＳＡインタフェーススロットに前記加入者宅側光回線終端装置が接続されると、専用ＯＡＭインタフェースを用いて前記加入者宅側光回線終端装置から前記ＰＯＮ識別子を読み出し、前記スイッチ用識別子と前記ＰＯＮ識別子とを対応付けして前記変換テーブルを作成する
ことを特徴とする請求項１４または１５に記載の加入者宅側光回線終端装置。
【請求項１９】
前記スイッチ用識別子の設定順序があらかじめ決められており、前記ＭＳＡインタフェーススロットに前記加入者宅側光回線終端装置が接続された順序で、所定のシリアルインタフェースを用いて前記加入者宅側光回線終端装置から前記ＰＯＮ識別子を読み出し、前記スイッチ用識別子と前記ＰＯＮ識別子とを対応付けして前記変換テーブルを作成する
ことを特徴とする請求項１４または１５に記載のスイッチ。
【請求項２０】
前記所定のシリアルインタフェースは、前記Ｉ２Ｃ信号線を介するインタフェースである
ことを特徴とする請求項１９に記載の加入者宅側光回線終端装置。
【請求項２１】
前記スイッチ用識別子の設定順序があらかじめ決められており、前記ＭＳＡインタフェーススロットに前記加入者宅側光回線終端装置が接続された順序で、専用ＯＡＭインタフェースを用いて前記加入者宅側光回線終端装置から前記ＰＯＮ識別子を読み出し、前記スイッチ用識別子と前記ＰＯＮ識別子とを対応付けして前記変換テーブルを作成する
ことを特徴とする請求項１４または１５に記載の加入者宅側光回線終端装置。
【請求項２２】
センタ側光回線終端装置から受動型光カプラを介して複数の光伝送路に分岐されて加入者宅側光回線終端装置が接続されたＰＯＮ(Passive Optical Network)型の光伝送システムにスイッチが接続されたときの通信制御方法であって、
前記センタ側光回線終端装置から前記加入者宅側光回線終端装置の第１ＭＡＣ部に下りデータ信号が入力されると、前記第１ＭＡＣ部が前記下りデータ信号を終端処理して該下りデータ信号に書き込まれたＰＯＮ識別子を読み出して前記加入者宅側光回線終端装置の通信制御部に出力し、前記通信制御部が事前に作成された変換テーブルを用いて前記ＰＯＮ識別子を前記スイッチのＭＳＡインタフェーススロット識別用に設定されたスイッチ用識別子に変換して前記加入者宅側光回線終端装置の第２ＭＡＣ部に出力し、前記第２ＭＡＣ部が前記下りデータ信号に前記スイッチ用識別子を書き込んで前記スイッチに出力する一方、
前記スイッチから前記第２ＭＡＣ部に前記上りデータ信号が入力されると、前記第２ＭＡＣ部が前記上りデータ信号を終端処理して該上りデータ信号に書き込まれた前記スイッチ用識別子を読み出して前記通信制御部に出力し、前記通信制御部が前記変換テーブルを用いて前記スイッチ用識別子を前記ＰＯＮ識別子に変換して前記第１ＭＡＣ部に出力し、前記第１ＭＡＣ部が前記上りデータ信号に前記ＰＯＮ識別子を書き込んで前記センタ側光回線終端装置に出力する
ことを特徴とする通信制御方法。
【発明の詳細な説明】
【技術分野】
【０００１】
本発明は、センタ側光回線終端装置とＰＯＮ型の光伝送路で接続された加入者宅側光回線終端装置と光伝送システム、該光伝送システムに接続されるスイッチ、及び通信制御方法に関する。
【背景技術】
【０００２】
ＦＴＴＨ、ＣＡＴＶ等の光ネットワークでは、下記の特許文献１に記載されているように、センタに接続される光伝送路を受動型スプリッタにより分岐して複数の加入者宅まで光伝送路を敷設するＰＯＮ(Passive Optical Network)型の光伝送システムが使用されている。このような光伝送システムは、ＰＤＳ(Passive Double Star)とも呼ばれる。
【０００３】
従来のＰＯＮ型の光伝送システムの一例を図７に示す。同図に示すＰＯＮ型光伝送システム９００では、センタの光回線終端装置（ＯＬＴ：Optical Line Termination）９０１が光ファイバ９０２を介してスプリッタ９０３の合波端に接続され、スプリッタ９０３の複数の分波端には光ファイバ９０４−１、…９０４−ｎを介して各加入者宅に設置された加入者宅側光回線終端装置（ＯＮＵ：Optical Network Unit）９０５−１、…９０５−ｎが接続される。
【０００４】
ＯＮＵ９０５−１、…９０５−ｎの構成を図８に示す。同図は、一例としてＯＮＵ９０５−１の構成を示しており、ＯＮＵ９０５−１は、光トランシーバ部９０６、ＯＮＵ機能部９０７、物理層（ＰＨＹ）９０８、及びイーサネット（登録商標）インタフェース９０９を備える構成となっている。スプリッタ９０３に接続された光ファイバ９０４−１が、各加入者宅に設けられた光成端ユニット９１０を介して光トランシーバ部９０６に接続されている。
【０００５】
イーサネット（登録商標）インタフェース９０９として、１０／１００／１０００ＢＡＳＥ−ＴＸ等を用いることができ、これに例えばＬＡＮケーブル９１１が接続される。ＬＡＮケーブル９１１には、コンピュータやプリンタ等の端末機器９１４を直接接続することができ、またルータ９１２やスイッチングハブ９１３等のスイッチを接続し、これに別の端末機器９１４を接続することもできる。また、インタフェース９０９として、ＭＳＡ（Multi-Source Agreement）インタフェースの規格に対応させたＭＳＡインタフェースモジュールを用いた場合には、スイッチ等の外部ノードに設けられたＭＳＡインタフェーススロットに直接接続することが可能となり、ＬＡＮケーブルの接続が不要になって省スペース化が図れるなどの大きな利点がある。
【０００６】
ＯＮＵを用いて光伝送システムに接続されたスイッチ等が、外部と高い信頼性で通信を行うためには、光伝送システムとの接続の信頼性を高めることが重要となる。ネットワークシステム等において、装置間の接続の信頼性を高めるために、装置間に２以上の伝送ラインを設けることで冗長化させる方法が従来より用いられている。従来の装置間における冗長化の一例を、図９を用いて説明する。同図（ａ）は、トランキングによる冗長化の方法を示しており、（ｂ）はスパニングツリーによる冗長化の方法を示している。
【０００７】
図９（ａ）に示すトランキングによる方法では、２つのスイッチ９２１、９２２がそれぞれ２つのポート９２１ａ、９２１ｂ及び９２２ａ、９２２ｂを使って２つの伝送ライン９２３、９２４を形成しており、両方ともアクティブとなっている。このような複数の伝送ライン９２３、９２４を、トランキングによる方法では仮想的に１つの伝送ラインのように束ねることにより、データ転送の負荷を分散させて高速化を図ることが可能となっている。また、一方の伝送ラインに異常が起きると、他方の伝送ラインだけで通信を継続することが可能となっている。
【０００８】
また、図９（ｂ）に示すスパニングツリーによる方法では、２つのスイッチ９２１、９２２がそれぞれ２つのポート９２１ａ、９２１ｂ及び９２２ａ、９２２ｂを使って２つの伝送ライン９２５、９２６を形成しており、一方の伝送ライン（図９（ｂ）では伝送ライン９２５）のみがアクティブとなっている。２つのスイッチ９２１、９２２を２つの伝送ライン９２５、９２６で単に接続すると、これらがループを形成して問題が生じる。
【０００９】
そこで、スパニングツリーによる方法では、一方の伝送ラインを通常はブロックしておき（図９（ｂ）では伝送ライン９２６側のポート９２１ｂでブロック）、アクティブの伝送ライン９２５に異常が起きたときに、ポート９２１ｂのブロックを解除して用いるようにしている。このような冗長化では、通常はアクティブな伝送ライン（以下では「現用系伝送ライン」と称する）とは別に、通常はブロックされている伝送ライン（以下では「待機系伝送ライン」と称する）を設ける構成をとっている。そして、現用系伝送ラインに異常が生じたときに待機系伝送ラインに切り替えて用いるようにしている。
【先行技術文献】
【特許文献】
【００１０】
【特許文献１】特開平９−２１４５４１号公報
【発明の概要】
【発明が解決しようとする課題】
【００１１】
しかしながら、ＰＯＮ型の光伝送システムでは、冗長化に関する規格が設けられていないため、現状では冗長化を実現することはできない。スイッチに２以上のＭＳＡインタフェーススロットが設けられている場合、これに例えば２つのＯＮＵを接続することで、物理的には２つの通信ラインを設けることができる。しかし、冗長化したときの管理方法が定められていないため、単に２つのＯＮＵを接続しただけでは、２つの通信ラインを適切に制御することができない。すなわち、スイッチの各スロットに接続されているＯＮＵの管理方法が定められていないため、例えば、スイッチはどのスロットに接続されているＯＮＵに上りデータ信号を出力すればよいかを判定できない、といった問題が生じる。
【００１２】
そこで、本発明はこのような問題を解決するためになされたものであり、冗長化の管理が可能な加入者宅側光回線終端装置、該加入者宅側光回線終端装置を接続する光伝送システム、加入者宅側光回線終端装置を２以上接続して冗長化可能なスイッチ、及びそれぞれの通信制御方法を提供することを目的とする。
【課題を解決するための手段】
【００１３】
本発明の加入者宅側光回線終端装置の第１の態様は、センタ側に接続される光伝送路が受動型光カプラで複数の光伝送路に分岐されて加入者宅側に接続されるＰＯＮ(Passive Optical Network)型の光伝送システムに用いられる加入者宅側光回線終端装置であって、センタ側光回線終端装置間と伝送されるデータ信号を終端処理する第１ＭＡＣ部と、加入者宅側のスイッチ間と伝送されるデータ信号を終端処理する第２ＭＡＣ部と、前記スイッチに具備されたＭＳＡ（Multi-Source Agreement）インタフェーススロットに接続されるＭＳＡインタフェースモジュールと、前記センタ側光回線終端装置との通信用に設定されたＰＯＮ識別子と、前記スイッチで前記ＭＳＡインタフェーススロットの識別用に設定されたスイッチ用識別子とを、事前に作成された変換テーブルを用いて相互に変換する通信制御部と、を備え、前記第１ＭＡＣ部に下りデータ信号が入力されると、前記通信制御部が前記第１ＭＡＣ部から前記下りデータ信号に書き込まれた前記ＰＯＮ識別子を入力し、前記変換テーブルを用いて前記ＰＯＮ識別子を前記スイッチ用識別子に変換して前記第２ＭＡＣ部に出力し、前記第２ＭＡＣ部が前記下りデータ信号に前記スイッチ用識別子タグを書き込んで前記スイッチに出力する一方、前記第２ＭＡＣ部に上りデータ信号が入力されると、前記通信制御部が前記第２ＭＡＣ部から前記上りデータ信号に書き込まれた前記スイッチ用識別子を入力し、前記変換テーブルを用いて該スイッチ用識別子を前記ＰＯＮ識別子に変換して前記第１ＭＡＣ部に出力し、前記第１ＭＡＣ部が前記上りデータ信号に前記ＰＯＮ識別子を書き込んで前記センタ側光回線終端装置に出力することを特徴とする。
【００１４】
本発明の加入者宅側光回線終端装置の他の態様は、前記変換テーブルは、前記センタ側光回線終端装置で作成され、前記下りデータ信号のＯＡＭ（Operation，Administration，and Maintenance）レイヤまたは拡張ＯＡＭレイヤに書き込まれ、前記通信制御部に伝送されて保存されることを特徴とする。
【００１５】
本発明の加入者宅側光回線終端装置の他の態様は、前記変換テーブルは、前記拡張ＯＡＭレイヤに書き込まれてさらに前記スイッチに出力されることを特徴とする。
【００１６】
本発明の加入者宅側光回線終端装置の他の態様は、前記変換テーブルは、前記通信制御部から前記ＭＳＡインタフェースモジュールに設けられたＩ２Ｃ（Ｉｎｔｅｒ  Ｉｎｔｅｇｒａｔｅｄ  Ｃｉｒｃｕｉｔ）信号線を介して前記スイッチに出力されることを特徴とする。
【００１７】
本発明の加入者宅側光回線終端装置の他の態様は、前記スイッチ用識別子が前記ＭＳＡインタフェーススロットとあらかじめ対応付けされており、前記ＭＳＡインタフェーススロットに接続されたときに、所定のシリアルインタフェースを用いて前記スイッチから前記スイッチ用識別子を読み出し、前記スイッチ用識別子と前記ＰＯＮ識別子とを対応付けして前記変換テーブルを作成することを特徴とする。
【００１８】
本発明の加入者宅側光回線終端装置の他の態様は、前記所定のシリアルインタフェースは、前記Ｉ２Ｃ信号線を介するインタフェースであることを特徴とする。
【００１９】
本発明の加入者宅側光回線終端装置の他の態様は、前記スイッチ用識別子が前記ＭＳＡインタフェーススロットとあらかじめ対応付けされており、前記ＭＳＡインタフェーススロットに接続されたときに、専用ＯＡＭインタフェースを用いて前記スイッチから前記スイッチ用識別子を読み出し、前記スイッチ用識別子と前記ＰＯＮ識別子とを対応付けして前記変換テーブルを作成することを特徴とする。
【００２０】
本発明の加入者宅側光回線終端装置の他の態様は、前記スイッチ用識別子の設定順序があらかじめ決められており、前記ＭＳＡインタフェーススロットに接続された順序で、所定のシリアルインタフェースを用いて前記スイッチから前記スイッチ用識別子を読み出し、前記スイッチ用識別子と前記ＰＯＮ識別子とを対応付けして前記変換テーブルを作成することを特徴とする。
【００２１】
本発明の加入者宅側光回線終端装置の他の態様は、前記所定のシリアルインタフェースは、前記Ｉ２Ｃ信号線を介するインタフェースであることを特徴とする。
【００２２】
本発明の加入者宅側光回線終端装置の他の態様は、前記スイッチ用識別子の設定順序があらかじめ決められており、前記ＭＳＡインタフェーススロットに接続された順序で、専用ＯＡＭインタフェースを用いて前記スイッチから前記スイッチ用識別子を読み出し、前記スイッチ用識別子と前記ＰＯＮ識別子とを対応付けして前記変換テーブルを作成することを特徴とする。
【００２３】
本発明の光伝送システムの第１の態様は、第１乃至第１０の態様のいずれか１項に記載の加入者宅側光回線終端装置を備えることを特徴とする。
【００２４】
本発明の光伝送システムの他の態様は、前記加入者宅側光回線終端装置が、同一のスイッチに２以上接続されていることを特徴とする。
【００２５】
本発明の光伝送システムの他の態様は、前記２以上の加入者宅側光回線終端装置のそれぞれの前記ＰＯＮ識別子と前記スイッチ用識別子とを対応付けした前記変換テーブルを前記センタ側光回線終端装置で作成し、前記変換テーブルを前記下りデータ信号のＯＡＭレイヤまたは拡張ＯＡＭレイヤに書き込んで前記２以上の加入者宅側光回線終端装置のそれぞれに伝送することを特徴とする。
【００２６】
本発明のスイッチの第１の態様は、第１乃至第１０の態様のいずれか１項に記載の加入者宅側光回線終端装置に接続されるスイッチであって、２以上の前記ＭＳＡインタフェーススロットと、前記ＭＳＡインタフェーススロットに接続されて前記加入者宅側光回線終端装置との通信を制御するスイッチコア部と、を備え、前記スイッチコア部は、前記変換テーブルを用いて前記上りデータ信号を出力する前記ＭＳＡインタフェーススロットを判定することを特徴とする。
【００２７】
本発明のスイッチの他の態様は、前記スイッチコア部は、前記変換テーブルを作成して前記Ｉ２Ｃ信号線を介して前記通信制御部に伝送することを特徴とする。
【００２８】
本発明のスイッチの他の態様は、前記スイッチ用識別子が前記ＭＳＡインタフェーススロットとあらかじめ対応付けされており、前記ＭＳＡインタフェーススロットに前記加入者宅側光回線終端装置が接続されると、所定のシリアルインタフェースを用いて前記加入者宅側光回線終端装置から前記ＰＯＮ識別子を読み出し、前記スイッチ用識別子と前記ＰＯＮ識別子とを対応付けして前記変換テーブルを作成することを特徴とする。
【００２９】
本発明のスイッチの他の態様は、前記所定のシリアルインタフェースは、前記Ｉ２Ｃ信号線を介するインタフェースであることを特徴とする。
【００３０】
本発明のスイッチの他の態様は、前記スイッチ用識別子が前記ＭＳＡインタフェーススロットとあらかじめ対応付けされており、前記ＭＳＡインタフェーススロットに前記加入者宅側光回線終端装置が接続されると、専用ＯＡＭインタフェースを用いて前記加入者宅側光回線終端装置から前記ＰＯＮ識別子を読み出し、前記スイッチ用識別子と前記ＰＯＮ識別子とを対応付けして前記変換テーブルを作成することを特徴とする。
【００３１】
本発明のスイッチの他の態様は、前記スイッチ用識別子の設定順序があらかじめ決められており、前記ＭＳＡインタフェーススロットに前記加入者宅側光回線終端装置が接続された順序で、所定のシリアルインタフェースを用いて前記加入者宅側光回線終端装置から前記ＰＯＮ識別子を読み出し、前記スイッチ用識別子と前記ＰＯＮ識別子とを対応付けして前記変換テーブルを作成することを特徴とする。
【００３２】
本発明のスイッチの他の態様は、前記所定のシリアルインタフェースは、前記Ｉ２Ｃ信号線を介するインタフェースであることを特徴とする。
【００３３】
本発明のスイッチの他の態様は、前記スイッチ用識別子の設定順序があらかじめ決められており、前記ＭＳＡインタフェーススロットに前記加入者宅側光回線終端装置が接続された順序で、専用ＯＡＭインタフェースを用いて前記加入者宅側光回線終端装置から前記ＰＯＮ識別子を読み出し、前記スイッチ用識別子と前記ＰＯＮ識別子とを対応付けして前記変換テーブルを作成することを特徴とする。
【００３４】
本発明の通信制御方法の第１の態様は、センタ側光回線終端装置から受動型光カプラを介して複数の光伝送路に分岐されて加入者宅側光回線終端装置が接続されたＰＯＮ(Passive Optical Network)型の光伝送システムにスイッチが接続されたときの通信制御方法であって、前記センタ側光回線終端装置から前記加入者宅側光回線終端装置の第１ＭＡＣ部に下りデータ信号が入力されると、前記第１ＭＡＣ部が前記下りデータ信号を終端処理して該下りデータ信号に書き込まれたＰＯＮ識別子を読み出して前記加入者宅側光回線終端装置の通信制御部に出力し、前記通信制御部が事前に作成された変換テーブルを用いて前記ＰＯＮ識別子を前記スイッチのＭＳＡインタフェーススロット識別用に設定されたスイッチ用識別子に変換して前記加入者宅側光回線終端装置の第２ＭＡＣ部に出力し、前記第２ＭＡＣ部が前記下りデータ信号に前記スイッチ用識別子を書き込んで前記スイッチに出力する一方、前記スイッチから前記第２ＭＡＣ部に前記上りデータ信号が入力されると、前記第２ＭＡＣ部が前記上りデータ信号を終端処理して該上りデータ信号に書き込まれた前記スイッチ用識別子を読み出して前記通信制御部に出力し、前記通信制御部が前記変換テーブルを用いて前記スイッチ用識別子を前記ＰＯＮ識別子に変換して前記第１ＭＡＣ部に出力し、前記第１ＭＡＣ部が前記上りデータ信号に前記ＰＯＮ識別子を書き込んで前記センタ側光回線終端装置に出力することを特徴とする。
【発明の効果】
【００３５】
本発明によれば、冗長化の管理が可能な加入者宅側光回線終端装置、該加入者宅側光回線終端装置を接続する光伝送システム、該加入者宅側光回線終端装置を２以上接続して冗長化可能なスイッチ、及びそれぞれの通信制御方法を提供することが可能となる。
【図面の簡単な説明】
【００３６】
【図１】第１の実施形態に係る光伝送システムの概略構成を示すブロック図である。
【図２】ＯＬＴとスイッチとの間の通信ラインの論理的構造を示す説明図である。
【図３】本実施形態の加入者宅側光回線終端装置の概略構成を示すブロック図である。
【図４】変換テーブルの一例を示す説明図である。
【図５】本実施形態の光伝送システム及びスイッチにおける通信制御方法を示す説明図である。
【図６】変換テーブルの設定方法を示す説明図である。
【図７】従来のＰＯＮ型の光伝送システムの概略構成を示すブロック図である。
【図８】従来の加入者宅側光回線終端装置の概略構成を示すブロック図である。
【図９】従来の冗長化方法を示すブロック図である。
【発明を実施するための形態】
【００３７】
図面を参照して本発明の好ましい実施の形態における光伝送システムの構成について詳細に説明する。なお、同一機能を有する各構成部については、図示及び説明簡略化のため、同一符号を付して示す。
【００３８】
本発明の第１の実施の形態に係る加入者宅側光回線終端装置、光伝送システム、及びスイッチを、図１を用いて説明する。図１は、本実施形態の光伝送システム１００の構成を示すブロック図である。本実施形態では、センタ側のＯＬＴシステム１０１がＯＬＴ１１０とセンタ側管理部１２０を備え、ＯＬＴ１１０と加入者側光回線終端装置１０５（各々を１０５−１、…、１０５−ｎ（ｎ：自然数）とする）とが、受動型光カプラ１０３を介して光ファイバ１０２、１０４で接続されてＰＯＮ型の光伝送システム１００を構成している。以下では、光伝送システム１００をセンタ側から加入者宅側に伝送されるデータ信号を下りデータ信号とし、加入者宅側からセンタ側に伝送されるデータ信号を下りデータ信号とする。
【００３９】
ＰＯＮ型の光伝送システムでは、ＯＮＵの管理を行うためのＯＡＭ（Operation，Administration，and Maintenance）が規定されており、センタ側管理部１２０がＯＬＴ１１０に接続されているＯＮＵ１０５の管理を行う。センタ側管理部１２０は、ＯＮＵ１０５にスイッチ等が接続されたときに、ＰＯＮリンクの確立や認証等の処理を行う。また、ＯＬＴ１１０とＯＮＵ１０５との間で伝送されるデータ信号には、保守管理用のデータとして、ＯＡＭデータのレイヤが設けられている。そして、ＯＮＵ１０５で検出された通信異常等が、ＯＡＭデータを用いてセンタ側管理部１２０に通知される。
【００４０】
ＯＮＵ１０５を用いて光伝送システム１００に接続される本実施形態のスイッチ１０は、２以上のＭＳＡインタフェーススロット１１（図１では１１ａと１１ｂの２つとしている）、スイッチコア部１２、及びパソコン２０等を接続するためのポート１３を備えている。スイッチコア部１２は、図示しないＣＰＵを用いてデータ信号の伝送を制御するとともに、ＭＳＡインタフェーススロット１１に接続されたＯＮＵ１０５との間の通信ラインの制御を行っている。
【００４１】
図１は、スイッチ１０の２つのＭＳＡインタフェーススロット１１ａ、１１ｂに、本実施形態の２つのＯＮＵ１０５―１、２がそれぞれ接続された実施例を示している。これにより、スイッチ１０は、光伝送システム１００との通信ラインが、２つのＯＮＵ１０５―１、２を用いて冗長化されている。また、冗長化と同時に、回線帯域、すなわち伝送容量を増大させることができる。
【００４２】
２つのＯＮＵ１０５―１、２は、それぞれでデータ信号を終端処理していることから、スイッチコア部１２がＯＮＵ１０５―１、２との間の通信ラインを制御するためには、接続された２つのＯＮＵ１０５−１、２を識別してそれぞれと通信できる必要がある。しかしながら、ＯＮＵ１０５−１、２は、センタ側管理部１２０でＯＡＭの規定に従って管理されており、この管理情報はＯＮＵ１０５で終端されてスイッチ１０には出力されない。ＯＡＭの規定では、ＯＬＴとＯＮＵ間の通信がＰＯＮ識別子で管理されており、ＯＬＴ１１０とＯＮＵ１０５との間で伝送されるデータ信号には、ＰＯＮ識別子が書き込まれている。
【００４３】
２以上のＯＮＵ１０５が１つのスイッチ１０の２以上のスロット１１に接続されて形成された２以上の通信ラインを、ＯＮＵ１０５側及びスイッチ１０側のそれぞれで管理できるようにするためには、ＯＮＵ１０５とスロット１１のそれぞれの識別子で双方を１対１に対応付ける必要がある。ＯＮＵ１０５の識別子として、上記のＰＯＮ識別子を用いることができる。同様に、スイッチ１０側で各スロット１１を識別しているスイッチ用識別子を上記のＯＮＵ１０５との対応付けに用いることができる。
【００４４】
スイッチ１０では、スイッチコア部１２が、複数のスロット１１をＶＬＡＮ等の論理的なネットワーク構成に用いられるＶＬＡＮタグ（タグ）で管理しており、各スロット１１を経由するデータ信号にはそれぞれのタグが書き込まれる。そこで、上記のスイッチ用識別子の一例として、このタグを用いることができる。以下では、スイッチ用識別子の一例としてタグを用いた実施例について説明するが、これに限定されず、各スロット１１を識別できる別のスイッチ用識別子を用いてもよい。このタグ情報も、ＯＮＵ１０５で終端処理されてセンタ側には出力されない。ＯＬＴ１１０とスイッチ１０との間の通信ラインの論理的構造を図２に示す。
【００４５】
図２に示すように、ＯＬＴ１１０とＯＮＵ１０５との間の通信がＰＯＮ識別子で管理され、ＯＮＵ１０５とスイッチ１０との間がタグで管理されることから、スイッチ１０に２つのＯＮＵ１０５−１、２が接続されてしまうと、ＯＬＴ１１０とスイッチ１０との間で、通信ラインの選択を適切に行うことができなくなる。そこで、本実施形態では、ＰＯＮ識別子とタグとを相互に関連付ける変換テーブルを事前に作成し、これをＯＮＵ１０５とスイッチ１０に持たせるようにしている。
【００４６】
本実施形態のＯＮＵ１０５の構成を、図３を用いて説明する。図３は、本実施形態のＯＮＵ１０５の構成を示すブロック図である。ＯＮＵ１０５は、電気／光変換部（ＴＲｘ）１３０、光回線終端装置機能部（以下ではＯＮＵ機能部と記す）１４０、シリアル／パラレル変換部（ＳＥＲＤＥＳ）１５０、及びＭＳＡインタフェースモジュール１６０を備えている。ＭＳＡインタフェースモジュールとして、ＧＢＩＣ、ＳＦＰ等のモジュールがある。
【００４７】
電気／光変換部１３０は、センタ側のＯＬＴ１１０との間でデータ信号を光信号として送受信するための光入出力端を有している。電気／光変換部１３０は、ＯＬＴ１１０から送信された下りデータ信号の光信号を電気信号に変換（光電気変換）してＯＮＵ機能部１４０に出力する一方、ＯＮＵ機能部１４０から入力した上りデータ信号の電気信号を光信号に変換（電気光変換）してＯＬＴ１１０に送信している。
【００４８】
ＯＮＵ機能部１４０は、電気／光変換部１３０から入力した下りデータ信号のシリアル信号をパラレル信号に変換し、所定の終端処理を行った後にＳＥＲＤＥＳ１５０に出力している。また、ＯＮＵ機能部１４０は、ＳＥＲＤＥＳ１５０から入力した上りデータ信号のパラレル信号を、所定の終端処理を行った後にシリアル信号に変換して電気／光変換部１３０に出力している。ＯＮＵ機能部１４０は、上記の終端処理をそれぞれ第１ＭＡＣ部１４１と第２ＭＡＣ部１４２で行っている。
【００４９】
ＳＥＲＤＥＳ１５０は、図示しないシリアル／パラレル変換手段とパラレル／シリアル変換手段を備え、ＯＮＵ機能部１４０から入力したパラレル信号の下りデータ信号をパラレル／シリアル変換手段でシリアル信号に変換し、これをＭＳＡインタフェースモジュール１６０に出力している。また、ＳＥＲＤＥＳ１５０は、ＭＳＡインタフェースモジュール１６０から入力したシリアル信号の上りデータ信号をシリアル／パラレル変換手段でパラレル信号に変換してＯＮＵ機能部１４０に出力している。
【００５０】
ＭＳＡインタフェースモジュール１６０は、スイッチ１０のＭＳＡインタフェーススロット１１に直接接続されてシリアルな電気信号等を入出力するものである。ＭＳＡインタフェースモジュール１６０は、主インタフェース（Ｉ／Ｆ）部１６１とサブＩ／Ｆ部１６２の２つのインタフェース部を備えている。スイッチ１０との間で伝送される下りデータ信号及び上りデータ信号は、主Ｉ／Ｆ部１６１を経由して伝送される。
【００５１】
スイッチ１０にＯＮＵ１０５が２以上接続されて冗長化されたときの通信ラインを適切に管理するために、ＯＮＵ１０５は、ＯＮＵ機能部１４０に通信制御部１４３を備えている。通信制御部１４３は、ＯＬＴ１１０との通信でＯＮＵ１０５の識別用に用いられるＰＯＮ識別子と、スイッチ１０との通信で接続されているＭＳＡインタフェーススロット１１の識別用に用いられるタグとを対応付ける変換テーブルを有している。変換テーブルの一例を図４に示す。変換テーブルには、スイッチ１０のＭＳＡインタフェーススロット１１に関連付けて、それぞれに接続されているＯＮＵ１０５−１、２の情報が設定されている。ここでは、ＯＮＵ１０５−１、２のＰＯＮ識別子をそれぞれＰＯＮ−ＭＡＣ１、ＰＯＮ−ＭＡＣ２とし、ＭＳＡインタフェーススロット１１ａ、１１ｂに付されたタグをそれぞれＴＡＧ１、ＴＡＧ２としている。図４に示す変換テーブルでは、ＭＳＡインタフェーススロット１１ａ、１１ｂにそれぞれＯＮＵ１０５−１、２が接続されていることを示している。
【００５２】
図４に示す変換テーブルは、スイッチ１０のスイッチコア部１２にも設定しておく。スイッチコア部１２は、変換テーブルを用いることで、下りデータ信号がＯＮＵ１０５−１，２のいずれから入力したかを判定する、あるいは上りデータ信号をＯＮＵ１０５−１，２のいずれに出力するかを判定してタグを設定する、といったことが可能となる。また、通信ラインの管理のために、ＰＯＮ識別子を用いてＯＮＵ１０５−１、２と通信することが可能となり、通信ラインの不具合を検知して正常な通信ラインのみを使用する、といった通信制御が可能となる。
【００５３】
図４に示す変換テーブルを用いて、本実施形態の光伝送システム１００及びスイッチ１０で行う通信制御方法を、図５を用いて以下に説明する。図５では、一例として、ＯＬＴ１１０からＯＮＵ１０５−１を経由してスイッチ１０に下りデータ信号が伝送される場合（同図（ａ））と、スイッチ１０からＯＮＵ１０５−１を経由してＯＬＴ１１０に上りデータ信号が伝送される場合（同図（ｂ））を示している。
【００５４】
図５（ａ）において、ＯＬＴ１１０からＯＮＵ１０５−１に下りデータ信号が伝送されると、ＯＮＵ１０５−１の通信制御部１４３では、第１ＭＡＣ部１４１から下りデータ信号のＰＯＮ識別子を入力する。通信制御部１４３は、入力したＰＯＮ識別子がＯＮＵ１０５−１に割り当てられたＰＯＮ−ＭＡＣ１に一致するときに、変換テーブルを用いてＰＯＮ−ＭＡＣ１をそれに対応するタグのＴＡＧ１に変換し、これを第２ＭＡＣ部１４２に出力する。第２ＭＡＣ部１４２は、送信先としてＴＡＧ１を下りデータ信号に書き込んでスイッチ１０側に出力する。
【００５５】
また、図５（ｂ）において、スイッチ１０がＯＬＴ１１０側に上りデータ信号を伝送する場合、スイッチコア部１２は、伝送に用いるＯＮＵがＯＮＵ１０５−１であることを判定すると、上りデータ信号に送信元としてＴＡＧ１を書き込んでＯＮＵ１０５−１に出力する。スイッチ１０からＯＮＵ１０５−１に上りデータ信号が入力されると、通信制御部１４３は、第２ＭＡＣ部１４２から上りデータ信号のタグを入力する。通信制御部１４３は、入力したタグ（ＴＡG１）を変換テーブルを用いてＰＯＮ識別子（ＰＯＮ−ＭＡＣ１）に変換し、これを第１ＭＡＣ部１４１に出力する。第１ＭＡＣ部１４１は、送信元として変換されたＰＯＮ識別子のＰＯＮ−ＭＡＣ１を上りデータ信号に書き込んでＯＬＴ１１０側に出力する。
【００５６】
上記のように、通信制御部１４３は、ＰＯＮ識別子とタグとの相互の変換を行うことから、図４に示すテーブルのうち、少なくともＰＯＮ識別子の列とタグの列の情報（図中、破線枠で示す）を変換テーブルとして有していればよい。同様に、スイッチコア部１２も、少なくともＰＯＮ識別子の列とタグの列の情報（図中、破線枠で示す）を変換テーブルとして有すればよい。
【００５７】
次に、変換テーブルをＯＮＵ１０５の通信制御部１４３、及びスイッチ１０のスイッチコア部１２に設定する方法を、図６を用いて以下に説明する。図６（ａ）は、センタ側で変換テーブルを設定する第１の方法を説明する図であり、図６（ｂ）は、スイッチ１０側で設定する第２の方法を説明する図である。図６（ａ）に示す第１の方法では、センタ側でＯＮＵ１０５を登録する際に、併せて変換テーブルの設定も行う。管理者が、センタ側管理部１２０に図４に示す変換テーブルを登録すると、これを下りデータ信号のＯＡＭレイヤまたは拡張ＯＡＭレイヤに書き込んでＯＬＴ１１０からＯＮＵ１０５に伝送する。
【００５８】
ＯＮＵ１０５では、ＯＬＴ１１０から下りデータ信号を入力すると、通信制御部１４３がＯＡＭレイヤまたは拡張ＯＡＭレイヤから変換テーブルを読み出して保存する。また、スイッチ１０への変換テーブルの伝送は、変換テーブルが拡張ＯＡＭレイヤに書き込まれているときは、そのまま下り信号としてスイッチ１０のスイッチコア部１２に伝送し、スイッチコア部１２が拡張ＯＡＭレイヤに書き込まれた変換テーブルを読み出すようにすることができる。あるいは、通信制御部１４３が取得した変換テーブルを、ＭＳＡインタフェースモジュール１６０のサブＩ／Ｆ部１６２を経由するシリアル信号線（Ｉ２Ｃ信号線）を用いてスイッチコア部１２に伝送するようにしてもよい。
【００５９】
図６（ｂ）に示す第２の方法では、スイッチ１０のＭＳＡインタフェーススロット１１にＯＮＵ１０５が接続される毎に、スイッチコア部１２に管理者が変換テーブルを直接登録する。スイッチコア部１２に登録された変換テーブルは、サブＩ／Ｆ部１６２を経由するＩ２Ｃ信号線を用いてＯＮＵ１０５の通信制御部１４３に伝送することができる。また、変換テーブルをセンタ側管理部１２０にも設定する必要がある場合には、ＯＮＵ１０５で上りデータ信号の拡張ＯＡＭレイヤに変換テーブルを書き込んでセンタ側管理部１２０に伝送することができる。
【００６０】
上記の管理者による設定方法に代えて、スイッチ１０側で変換テーブルを自動的に作成させるようにすることも可能である。変換テーブルを自動的に作成する第１の方法として、ＭＳＡインタフェーススロット１１とタグとの対応をあらかじめ決めてスイッチコア部１２に設定しておき、ＭＳＡインタフェーススロット１１にＯＮＵ１０５が接続されたときに、通信制御部１４３が対応するタグをスイッチコア部１２からＩ２Ｃ信号線または別のシリアルインタフェースを用いて読み出す。あるいは、専用ＯＡＭインタフェースを用いてタグをスイッチコア部１２から読み出すようにしてもよい。通信制御部１４３は、スイッチコア部１２からタグを入力すると、これとＰＯＮ識別子とから変換テーブルを作成し、Ｉ２Ｃ信号線、別のシリアルインタフェース、及び専用ＯＡＭインタフェースのいずれか１つを用いてこれを再びスイッチコア部１２に伝送する。
【００６１】
あるいは、ＭＳＡインタフェーススロット１１にＯＮＵ１０５が接続されたときに、スイッチコア部１２が、Ｉ２Ｃ信号線、別のシリアルインタフェース、及び専用ＯＡＭインタフェースのいずれか１つを用いてＯＮＵ１０５からＰＯＮ識別子を読み出し、これを用いてスイッチコア部１２で変換テーブルを作成するようにしてもよい。ＭＳＡインタフェーススロット１１にＯＮＵ１０５が接続される毎に、上記の変換テーブルの作成を行うことで、スイッチコア部１２では、接続されたすべてのＯＮＵ１０５に対応する変換テーブルを作成することができる。作成された変換テーブルは、必要に応じて、ＯＮＵ１０５あるいはセンタ側に伝送される。
【００６２】
変換テーブルを自動的に作成する第２の方法として、ＭＳＡインタフェーススロット１１にＯＮＵ１０５が接続される順序に応じて、あらかじめ順序づけられたタグを順次設定するようにすることも可能である。これにより、ＯＮＵ１０５とタグとの対応が決定されると、第１の方法と同様にして変換テーブルを自動的に作成することができる。なお、変換テーブルを自動的に作成する第１の方法及び第２の方法で使用されるタグは、ＶＬＡＮ等で用いられるものとは異なる。
【００６３】
上記説明のように、本発明によれば、１つのスイッチに２以上の加入者宅側光回線終端装置を接続して冗長化することにより、信頼性の高い光伝送システムを提供することができる。これにより、１つの加入者宅側光回線終端装置で形成された通信ラインに異常が起きても、別の加入者宅側光回線終端装置で形成された通信ラインを用いて通信を継続することが可能となり、信頼性の高い通信が可能となる。また、２以上の通信ラインを形成することで、回線帯域、すなわち伝送容量を増大させることができる。
【００６４】
なお、本実施の形態における記述は、本発明に係る加入者宅側光回線終端装置、光伝送システム、スイッチ、及び通信制御方法の一例を示すものであり、これに限定されるものではない。本実施の形態における加入者宅側光回線終端装置等の細部構成及び詳細な動作等に関しては、本発明の趣旨を逸脱しない範囲で適宜変更可能である。
【符号の説明】
【００６５】
１０      スイッチ
１１（１１ａ、１１ｂ）    ＭＳＡインタフェーススロット
１２      スイッチコア部
１３      ポート
１００    光伝送システム
１０１    ＯＬＴシステム
１０２、１０４    光ファイバ
１０３    受動型光カプラ
１０５    加入者側光回線終端装置
１１０    ＯＬＴ
１２０    センタ側管理部
１３０    ＴＲｘ
１４０    ＯＮＵ機能部
１４１    第１ＭＡＣ部
１４２    第２ＭＡＣ部
１４３    通信制御部
１５０    ＳＥＲＤＥＳ
１６０    ＭＳＡインタフェースモジュール
１６１    主Ｉ／Ｆ部
１６２    サブＩ／Ｆ部
【図１】
2011129970.tif 000003
【図２】
2011129970.tif 000004
【図３】
2011129970.tif 000005
【図４】
2011129970.tif 000006
【図５】
2011129970.tif 000007
【図６】
2011129970.tif 000008
【図７】
2011129970.tif 000009
【図８】
2011129970.tif 000010
【図９】
2011129970.tif 000011